(57)【要約】【課題】  重送と誤検知されやすい封筒等の原稿を複数枚搬送する場合、１枚搬送する毎に重送と誤検知され、原稿読取ジョブが中断してしまい、操作性が悪くなることを防止する。【解決手段】  重送センサ２０ａ、２０ｂにより原稿の重送が検知されると、原稿の搬送及び読取を中断し、搬送路中の原稿が原稿トレイ３０に載置しなおされると、重送検知を無効にしてジョブを再開させるか、重送検知有効にしたままジョブを再開させるかを利用者に選択させるための画面（図９）を表示する。【選択図】  図６
2017052593.tif 000002
【特許請求の範囲】
【請求項１】
複数のシートが載置される給紙トレイと、
前記給紙トレイからシートを給送する給送手段と、
前記給送手段により給送される複数のシートが重なった状態で搬送される重送を検知する重送検知手段と、
前記重送検知手段により重送が検知されると、前記原稿給送手段の動作を停止させ、その後のシートの給送の再開を制御する制御手段と、
情報を表示する表示手段と、
を有し、前記重送検知手段により重送が検知された場合、再開されるシートの給送において前記重送検知手段の動作を有効とするか無効とするかを選択させるための選択画面を前記表示手段に表示させることを特徴とするシート搬送装置。
【請求項２】
前記重送検知手段の動作を無効とすることが選択された場合、前記給紙トレイに載置されたシートをすべて給紙した後に新たに載置されたシートの給送においては、前記制御手段は前記重送検知手段の動作を有効とすることを特徴とする請求項１に記載のシート搬送装置。
【請求項３】
前記制御手段は、前記重送検知手段により重送が検知されたシートが前記シート搬送装置から取り除かれ、前記給紙トレイへ載置された後に前記選択画面を前記表示手段に表示させることを特徴とする請求項１又は２に記載のシート搬送装置。
【請求項４】
前記制御手段は、前記重送検知手段により重送が検知され、再開されるシートの給送において前記重送検知手段の動作を無効とすることが選択されなかった場合、重送が検知される前のシートの搬送速度よりも再開後におけるシートの搬送速度を遅くすることを特徴とする請求項１乃至３の何れか１項に記載のシート搬送装置。
【請求項５】
前記制御手段は、前記重送検知手段により重送が検知され、再開されるシートの給送において前記重送検知手段の動作を無効とすることが選択された場合、前記重送検知手段の動作を無効とすることが選択されなかった場合よりも再開後におけるシートの搬送速度を速くすることを特徴とする請求項４に記載のシート搬送装置。
【請求項６】
前記制御手段は、前記重送検知手段により重送が検知され、再開されるシートの給送において前記重送検知手段の動作を無効とすることが選択された場合、前記給送手段による原稿の給送開始から所定時間経過後に第１の速度で原稿を搬送させ、前記重送検知手段により重送が検知され、再開されるシートの給送において前記重送検知手段の動作を無効とすることが選択されなかった場合、前記給送手段による原稿の給送開始から前記所定時間経過後に前記第１の速度よりも遅い第２の速度で原稿を搬送させることを特徴とする請求項４又は５に記載のシート搬送装置。
【請求項７】
前記制御手段は、前記重送検知手段により重送が検知され、再開されるシートの給送において前記重送検知手段の動作を無効とすることが選択された場合、前記給送手段による原稿の給送開始から所定時間を第１の速度で原稿を搬送させ、前記重送検知手段により重送が検知され、再開されるシートの給送において前記重送検知手段の動作を無効とすることが選択されなかった場合、前記給送手段による原稿の給送開始から前記所定時間を前記第１の速度よりも遅い第２の速度で原稿を搬送させることを特徴とする請求項４又は５に記載のシート搬送装置。
【請求項８】
前記給送手段は、前記給紙トレイに載置されたシートの最上面のシートを給送する上下に移動可能な給紙ローラを有し、
前記給紙トレイは昇降可能であり、載置されたシートに前記給紙ローラが当接している状態で前記給紙トレイの昇降に伴い、前記給紙ローラが上下に移動するよう構成され、
前記制御手段は、前記重送検知手段により重送が検知され、再開されるシートの給送において前記重送検知手段の動作を無効とすることが選択された場合、前記給紙ローラが第１の範囲で移動するよう前記給紙トレイの昇降を制御し、前記重送検知手段により重送が検知され、再開されるシートの給送において前記重送検知手段の動作を無効とすることが選択されなかった場合、前記給紙ローラが前記第１の範囲よりも狭い第２の範囲で移動するよう前記給紙トレイの昇降を制御することを特徴とする請求項１乃至３の何れか１項に記載のシート搬送装置。
【請求項９】
前記第２の範囲は前記第１の範囲よりも下側の領域であることを特徴とする請求項８に記載のシート搬送装置。
【請求項１０】
前記選択画面とは別に、予め前記重送検知手段による重送検知を実施するか否かを設定する設定手段を有し、重送検知を実施することが前記設定手段により設定されている場合、前記制御手段は、前記給紙トレイに載置された１枚目のシートから重送検知を実施するよう前記重送検知手段を制御することを特徴とする請求項１乃至９の何れか１項に記載のシート搬送装置。
【請求項１１】
前記重送検知手段は、超音波を発信する発信手段と、前記発信手段から発信された超音波を受信する受信手段を有することを特徴する請求項１乃至１０の何れか１項に記載のシート搬送装置。
【請求項１２】
前記給送手段により給送されたシートの画像を読み取る読取手段を有することを特徴する請求項１乃至１１の何れか１項に記載のシート搬送装置。
【発明の詳細な説明】
【技術分野】
【０００１】
本発明は、搬送されるシートの重送を検知する機能を有するシート搬送装置に関する。
【背景技術】
【０００２】
複写機等の画像読取装置においては、自動原稿給送装置（Ａｕｔｏｍａｔｉｃ  Ｄｏｃｕｍｅｎｔ  Ｆｅｅｄｅｒ、以下、ＡＤＦと略す）  により読取対象となる原稿を１枚ずつ連続的に給送し、これらの原稿の画像を読み取って画像データを得るスキャン動作が一般的に行われている。
【０００３】
ＡＤＦを使用したスキャン動作時、複数枚の原稿が重なったまま給送されてしまう重送が発生することがある。原稿の重送が発生すると、読取データの欠落が生じてしまい、ユーザの期待する結果が得られない。このため、ＡＤＦにおいて、原稿の搬送中に原稿が重送しているかを検知する機構を設け、重送を検知した場合は原稿給送を停止させてユーザに重送を通知する技術が提案されている（特許文献１）。
【０００４】
また、例えば封筒など重送検知機構により重送と判断されやすい原稿を利用するときのために、原稿の重送が発生したときはすぐに読取を中止し、原稿を利用者に確認させた後、操作部にスキャンを継続するか否かの表示を出す。そして、利用者がスキャンを継続する指示をした場合、当該ページは重送とはみなされず、継続しない指示をした場合、読取を終了する、という技術が提案されている（特許文献２）。
【先行技術文献】
【特許文献】
【０００５】
【特許文献１】特開平７−３１５６３４号公報
【特許文献２】特許第４１８８８７９号
【発明の概要】
【発明が解決しようとする課題】
【０００６】
特許文献１の方法を用いると、重送検知を有効にする設定で画像読取を行う場合、重送と誤検知されやすい原稿の給送を開始し、該原稿が重送と判断されてから再度画像読取の再設定を実施しなければならず、設定に手間がかかるという課題がある。なお、重送と誤検知されやすい原稿には、封筒や、シールや切手が貼られた葉書、返信用部分のついた葉書を折ったまま画像読取する場合、ポストイットが貼られた用紙、写真が貼られた履歴書、複数枚つづりの伝票などが考えられる。
【０００７】
特許文献２の方法を用いると、封筒など重送と誤検知されやすい原稿を複数枚給送する場合は、原稿が給送されるたびに原稿搬送及び読取の中断が発生しうる。このため、利用者はなんども読取を継続する指示をする必要があり、作業効率が悪いという課題がある。
【課題を解決するための手段】
【０００８】
上記課題を解決するため、本発明のシート搬送装置は、複数のシートが載置される給紙トレイと、前記給紙トレイからシートを給送する給送手段と、前記給送手段により給送される複数のシートが重なった状態で搬送される重送を検知する重送検知手段と、前記重送検知手段により重送が検知されると、前記原稿給送手段の動作を停止させ、その後のシートの給送の再開を制御する制御手段と、情報を表示する表示手段と、を有し、前記重送検知手段により重送が検知された場合、再開されるシートの給送において前記重送検知手段の動作を有効とするか無効とするかを選択させるための選択画面を前記表示手段に表示させることを特徴とする。
【発明の効果】
【０００９】
本発明によれば、重送検知を実施する設定のまま、封筒など重送と判断されやすいシートを複数枚搬送する場合の操作性を向上することができる。
【図面の簡単な説明】
【００１０】
【図１】画像読取装置の断面図
【図２】画像読取装置の構成を示すブロック図
【図３】重送検知部の構成を示す断面図
【図４】重送検知部の受信波形を示す図
【図５】重送検知設定画面を示す図
【図６】原稿搬送制御を示すフローチャート
【図７】重送発生後の画面を示す図
【図８】重送発生後の画面を示す図
【図９】重送検知後のジョブ再開のための画面を示す図
【図１０】原稿搬送制御を示すフローチャート
【図１１】重送検知後のジョブ再開のための画面を示す図
【図１２】原稿搬送時の速度の遷移を示す図
【図１３】原稿搬送時の速度の遷移を示す図
【図１４】原稿搬送時の速度の遷移を示す図
【図１５】原稿給紙トレイと給紙ローラの位置の変化の説明図
【図１６】原稿給紙トレイと給紙ローラの位置の変化の説明図
【図１７】給紙ローラの移動範囲の説明図
【発明を実施するための形態】
【００１１】
以下、本発明の実施形態を、図面を参照して説明する。
【００１２】
図１は、本実施形態の画像読取装置の一例を示す断面図である。本実施形態の画像読取装置１０００は、シートとしての原稿の画像を読み取る画像読取部２００と、シート搬送装置としての自動原稿給送装置部（ＡＤＦ）１００を備えており、さらに図１には図示しないコントローラ部が接続されている。
【００１３】
＜画像読取部２００の構成例＞
画像読取部２００について、図１を参照しながら説明する。画像読取部２００は、原稿台ガラス２０９上に設置された原稿について、光学スキャナユニット２０２を図１の矢印に示す副走査方向に一定速度で移動させることで、原稿に記録された画像情報を１ラインずつ読み取る（固定読み）。また、ＡＤＦ１００を用いて原稿を読み取る場合には、光学スキャナユニット２０２をＡＤＦ１００のリードローラ６の中心位置に移動させ、後述の方法で給紙搬送される原稿の画像を光学的に読み取る（流し読み）。
【００１４】
＜自動原稿給紙部（ＡＤＦ）１００の構成例＞
ＡＤＦ１００の動作について、図１を参照しながら説明する。図１に示すＡＤＦ１００は、１枚以上の原稿で構成される原稿束Ｓが載置される原稿給紙トレイ３０と、原稿の搬送開始前に原稿束Ｓが原稿給紙トレイ３０より突出して下流への進出を規制する分離パッド２１及び分離ローラ２と、給紙ローラ１とを有する。原稿給紙トレイ３０には原稿有無センサ１４があり、該センサにより原稿給紙トレイ３０上の原稿の有無が判断される。また原稿給紙トレイ３０には普通紙の厚さの原稿が最大１００枚積載することが可能であり、原稿載置面が昇降可能である。給紙ローラ１は、上下方向に移動可能であり、原稿給紙トレイ３０に載置された原稿束Ｓの原稿面に当接して回転する。これにより、原稿束の最上面の原稿が給送される。給紙ローラ１によって給送された原稿は、分離ローラ２と分離パッド２１の作用によって１枚ずつに分離される。この分離機構は公知の技術によって実現されている。
【００１５】
分離ローラ２と分離パッド２１によって分離された原稿は、引抜ローラ３により、重送センサ２０（２０ａ、２０ｂ）の位置まで搬送される。ここで重送センサにより、２枚以上の原稿が重なった状態で搬送されている（以下、重送）か否かが検知される。詳細な検知方法については後述する。
【００１６】
重送センサ２０を通過した原稿はレジストローラ４へ搬送され、レジストローラ４に原稿先端が突き当てられる。これにより原稿先端側にはループ状のたわみが形成され、原稿の先端側の斜行が解消される。レジストローラ４の下流側には、レジストローラ４を通過した原稿を表面読取ガラス２０１方向へ搬送する給紙路が配置されている。
【００１７】
給紙路に送られた原稿は、読取上流ローラ５によって画像読取位置に搬送される。原稿が読取ガラス２０１とリードローラ６の間を通過する際、原稿の表面は照射用ＬＥＤ２０３ａ、２０３ｂで照射される。その反射光は、複数のミラー２０４ａ、２０４ｂ、２０４ｃを介して画像読取センサ２０８に結像され、原稿の表面画像が１ラインずつ読み取られる。原稿の表面画像のみを読み取る場合には、読取下流ローラ７により搬送された原稿は、排紙センサ１１を通過しながら排紙ローラ１２によって原稿排紙トレイ１３へ搬送される。原稿が原稿給紙トレイ３０上に複数枚有る場合には、最終原稿の読取及び原稿排紙トレイ１３への排紙が終了するまで上述した処理が繰り返される。
【００１８】
原稿の表裏両面の画像を読み取る場合には、表面画像を読み取り後、原稿の後端が排紙センサ１１を通過し、排紙ローラ１２を抜ける前に原稿搬送を一旦停止させる。そして排紙ローラ１２が逆回転することで、原稿がレジストローラ４へ向けて搬送され、上述した片面読取時と同じように原稿の裏面が読み取られる。さらに、裏面画像を読み取り完了後、原稿の後端が排紙センサ１１を通過した後、排紙ローラ１２を抜ける前に原稿搬送が一旦停止され、原稿が再度レジストローラ４へ向けて搬送される。この時には、原稿の画像は読み取られずに原稿排紙トレイ１３へ搬送される。原稿が原稿給紙トレイ３０上に複数枚有る場合には、最終原稿の読取及び原稿排紙トレイ１３への排紙が終了するまで上述した処理が繰り返される。
【００１９】
＜ブロック図の説明＞
図２は、ＡＤＦを含む画像読取装置の制御部の構成例を示すブロック図である。リーダーＡＤＦ制御部３１０は、中央演算処理装置であるリーダーＡＤＦ制御部３１０用ＣＰＵ８０１（以降ＣＰＵ８０１）、リードオンリーメモリであるＲＯＭ８０２、ランダムアクセスメモリであるＲＡＭ８０３を備えている。ＲＯＭ８０２には、ＣＰＵ８０１の制御プログラムが格納されており、ＲＡＭ８０３には、ＣＰＵ８０１で使用する入力データや作業用データが格納される。
【００２０】
ＣＰＵ８０１には原稿搬送のために、分離モータ８２０、読取モータ８２１が接続されている。分離モータ８２０は給紙ローラ１、分離ローラ２、引き抜きローラ３、レジストローラ４を回転駆動する。読取モータ８２１は読取上流ローラ５、リードローラ６、読取下流ローラ７、排紙ローラ１２を駆動する。また、いくつかのローラは、ソレノイド８１１、クラッチ８１２を介して、分離モータ８２０及び読取モータ８２１と接続されている。ＣＰＵ８０１は分離モータ８２０を正転させることで給紙ローラ１、分離ローラ２、引き抜きローラ３、レジストローラ４を、原稿を下流へ送る方向へ回転させ、分離モータ８２０を逆転させることで、給紙ローラ１を上方へ持ち上げる。さらに、原稿給紙トレイ３０に積載された原稿を検知する原稿有無センサ１４、原稿給紙トレイ３０に積載された原稿の搬送方向の長さを検知するための原稿長さセンサ２２、２３がＣＰＵ８０１に接続されている。さらに、搬送路上の原稿端部を検知する分離センサ１５、引き抜きセンサ１６、レジストセンサ１７、リードセンサ１８、排紙センサ１１がＣＰＵ８０１に接続されている。分離モータ８２０、読取モータ８２１はパルスモータであり、ＣＰＵ８０１は各モータの駆動パルス数を管理し、上述した搬送路上の各種センサによる原稿検知の状況と関連させることで、搬送中の原稿の位置を監視している。
【００２１】
ＣＰＵ８０１には、画像読取機能を実現するために、原稿照射用ＬＥＤ２０３、画像読取センサ２０８、が接続され、画像読取センサ２０８によって読み取られた画像データは、画像処理部８３３を介してコントローラへ直接送られる構成となっている。ＣＰＵ８０１は、読みとった画像データを、画像ライン３５３を介してコントローラ部３００へ送信する。さらに、ＣＰＵ８０１は、原稿画像データの先端の基準となる垂直同期信号および１ラインの画素先端の基準となる水平同期信号を通信線３５４でコントローラ部３００へ通知する。
【００２２】
コントローラ部３００は、ＣＰＵ９０１、ＲＯＭ９０２、ＲＡＭ９０３を備えており、ＣＰＵ８０１との通信線３５４を介して画像読取制御に関するデータの授受を行う。画像データは画像処理部８３３と画像処理部９０５の間の画像ライン３５３を介して行い、画像読取部２００から受信したデータは画像メモリ９０６に格納される。また、コントローラ３００は、操作表示部９０４を備えており、ＣＰＵ９０１はユーザとのインターフェース制御を操作表示部９０４を介して行う。
【００２３】
＜原稿重送検知方法＞
図３は、本実施形態の重送センサ２０付近の断面拡大図である。重送センサ２０は、センサ２０ａとセンサ２０ｂを有しており、センサ２０ａは超音波発信を行い、重送センサ２０ｂは超音波受信を行うよう構成されている。重送センサ２０ａから発せられた超音波が原稿を透過して伝搬され、重送センサ２０ｂは、伝搬された超音波の強弱を電圧振幅に変換し、それを増幅し、デジタル値に変換する。ＣＰＵ８０１は、このデジタル値に基づいて原稿の重送の有無を決定する。
【００２４】
ＡＤＦ１００の搬送路内において、原稿が１枚ずつ分離され重なることなく搬送される状態を「単送」、原稿が１枚ずつに分離できず重なった状態で搬送される状態を「重送」と呼ぶ。図４は、重送センサ２０ａ、２０ｂを用いて搬送原稿の「単送」「重送」を区別する仕組みを説明する図である。
【００２５】
図４（ａ）は重送センサ２０ａ、２０ｂに挟まれた原稿搬送路に原稿が無い状態で重送センサ２０ａから超音波を発信した際の、重送センサ２０ｂの受信波形である。図４（ｂ）は重送センサ２０ａ、２０ｂに挟まれた原稿搬送路に１枚の原稿がある状態（単送）で重送センサ２０ａから超音波を発信した際の、重送センサ２０ｂの受信波形である。図４（ｃ）は重送センサ２０ａ、２０ｂに挟まれた原稿搬送路に２枚の原稿がある状態（重送）で重送センサ２０ａから超音波を発信した際の、重送センサ２０ｂの受信波形である。
【００２６】
原稿１０２が両センサ間に存在しない場合の受信波形の振幅に比べて、原稿１０２が両センサ間に存在する場合の受信波形の振幅は、小さくなる。即ち、超音波が原稿１０２を透過する際に超音波の振幅が大きく減衰する。この時原稿が重送状態であると、超音波が１枚の原稿を通過するたびに減衰が発生するため、複数枚の原稿を透過した超音波の振幅は原稿が１枚であった場合に比べてさらに減衰する。これにより「単送」時の受信波の振幅と「重送」時の受信波の振幅に差が発生する（「重送」時の振幅の方が小さくなる）。この差分を利用して重送の有無を判別するための閾値を設け、受信波のレベルと閾値とを比較することで、原稿の重送が判別される。具体的には、ＣＰＵ８０１は、重送センサ２０ｂの受信波形の振幅がＴｈより大きい場合は「単送」、小さい場合は「重送」と判断する。
【００２７】
また、原稿の厚みや種類によっても超音波の減衰量は異なるが、原稿の厚みや種類による減衰量の変動に比べ、超音波が透過する原稿枚数（１枚もしくは複数枚）に応じた減衰量の差分の方が圧倒的に大きい。従って、原稿の厚みや種類によらず重送の検知が可能である。
【００２８】
図５は、本実施形態における重送検知設定時の操作部９０４の画面である。利用者は予め、図５の操作部９０４画面から、ＡＤＦを用いた画像読取時に重送検知を実施するか否かを切り替えることができる。図５の「重送検知する」を設定した場合、設定以降のＡＤＦを用いた画像読取では１枚目の原稿給送から重送検知が実施される。また「重送検知しない」を設定した場合、設定以降のＡＤＦを用いた画像読取では重送検知が実施されない。
【００２９】
＜原稿読取ジョブ中の重送検知無効設定方法＞
次に、原稿読取ジョブ実行中における重送検知実施有無を切り替える制御について説明する。
【００３０】
図６は、予め、操作部９０４から重送検知を実施する設定がなされている場合に原稿読取の制御を表すフローチャートである。このフローチャートは、利用者が原稿給紙トレイ３０に原稿を積載した後、原稿読取ジョブの開始操作を行うことによりＣＰＵ８０１により実行される。
【００３１】
図７は、重送が検知された後にＣＰＵ９０１が操作部９０４に表示する画面であり、利用者に対し重送した原稿の取り出しを促す画面である。図８は、重送が検知された後にＣＰＵ９０１が操作部９０４に表示する画面であり、利用者に対し原稿を原稿トレイ３０へセットする動作を促す画面である。図９は、重送が検知された後にＣＰＵ９０１が操作部９０４に表示する画面であり、利用者に対し重送検知を実施しながら原稿読取ジョブの再開を行うか、重送検知を実施せずに原稿読取ジョブの再開を行うかの選択を促す画面である。
【００３２】
以下、図６のフローチャートに従い、制御の説明を行う。利用者が原稿給紙トレイ３０に原稿を積載し、操作部９０４から画像読取動作の開始指示を入力すると、ＣＰＵ９０１はこの開始指示を検知し、ＣＰＵ８０１に対してＡＤＦ１００を用いた原稿読取ジョブの開始を通知する。ＣＰＵ８０１はＡＤＦ１００を用いた原稿読取ジョブの開始通知を受け取ると、まず、上述した原稿給紙搬送制御を行い、原稿給紙トレイ３０上の最上面の原稿から１枚ずつ画像読取位置まで搬送する（Ｓ１０１）。この原稿搬送中にＣＰＵ８０１は、上述した原稿重送検知方法を用いて、重送判断を行う（Ｓ１０２）。ＣＰＵ８０１は重送センサ２０ａ、２０ｂの出力値を参照し、重送が発生していないと判断した場合（Ｓ１０２  ＹＥＳ）、原稿搬送を続行させ、画像読取位置まで到達した原稿の画像読取を行う（Ｓ１０３）。そして読取が完了した原稿を原稿排紙トレイ１３へ排紙する（Ｓ１０４）。
【００３３】
原稿が排紙された後、ＣＰＵ８０１は原稿給紙トレイ３０上の原稿をすべて読取終えたかを確認する（Ｓ１０５）。原稿有無センサ１４が原稿ありを検知している場合、ＣＰＵ８０１は原稿トレイ３０上に原稿が残っており最終原稿まで読取が完了していないと判断して（Ｓ１０５  ＮＯ）、原稿トレイ３０上の原稿がなくなるまでＳ１０１からの処理を繰り返す。Ｓ１０５において原稿有無センサ１４が原稿なしを検知している場合、原稿トレイ３０上の最終原稿まで読取が完了したことになる（Ｓ１０５  ＹＥＳ）。そこで、ＣＰＵ８０１はＣＰＵ９０１に対し原稿読取ジョブの終了通知を行い（Ｓ１１９）、原稿読取ジョブを終了する。
【００３４】
Ｓ１０２においてＣＰＵ８０１が重送ありと判断した場合（Ｓ１０２  ＮＯ）、原稿搬送を停止させ（Ｓ１０６）、ＣＰＵ９０１に対し、重送紙取り出し画面表示通知を行う（Ｓ１０７）。ＣＰＵ９０１は、重送紙取り出し画面表示通知を受け取ると、操作部９０４上に図７に示す重送紙取り出し画面を表示する。
【００３５】
その後、ＣＰＵ８０１はＡＤＦ１００内にある重送した原稿が取り出されたか否かを判断する（Ｓ１０８）。利用者が、図７の画面表示に従いＡＤＦ１００内にある原稿を取り出し、ＡＤＦ１００のカバーを閉じると、ＡＤＦ１００の搬送路内にあるセンサ（分離センサ１５、レジセンサ１７、リードセンサ１８、排紙センサ１１）はすべて原稿なしを検出する。このことから、ＡＤＦ１００の搬送路内にあるセンサ（分離センサ１５、レジセンサ１７、リードセンサ１８、排紙センサ１１）が一つでも原稿ありを検知している場合、ＣＰＵ８０１は原稿が取り出されていないと判断する（Ｓ１０８  ＮＯ）。そして原稿が取り出されていない（Ｓ１０８  ＮＯ）場合、ＡＤＦ１００の搬送路内にあるセンサ（分離センサ１５、レジセンサ１７、リードセンサ１８、排紙センサ１１）の監視を続ける。この間、ＣＰＵ９０１は図７の画面を表示したままである。Ｓ１０８において、ＡＤＦ１００の搬送路内にあるセンサ（分離センサ１５、レジセンサ１７、リードセンサ１８、排紙センサ１１）がすべて原稿なしを検知している場合、原稿が取り出されたことになる（Ｓ１０８  ＹＥＳ）。そこで、ＣＰＵ８０１はＣＰＵ９０１に対し原稿セット画面表示通知を行う（Ｓ１０９）。ＣＰＵ９０１は、原稿セット画面表示通知を受け取ると、操作部９０４に図８に示す原稿セット画面を表示する。
【００３６】
ここで、図８に示すように利用者に対して原稿を一度さばくように促す理由は、原稿をさばくことにより静電気等の要因で張り付いた原稿を引き離すことができる場合があり、画像読取を再開した際に再度重送する可能性を低減する効果があるためである。
【００３７】
なお、ここでは重送が発生した場合に、ＡＤＦ１００の搬送路内に残っている原稿を原稿トレイ３０へセットする方式（排紙完了済みの原稿を戻さない）としているが、別の方法であってもよい。例えば、原稿セットの方法として、ＡＤＦ１００搬送路内の原稿だけでなく排紙トレイ１３に排出済みの原稿も含めて全ての原稿を原稿トレイ３０にセットする方法でもよい。また、これらの複数のセット方法のうち、採用する方法を予め利用者が設定しておき、設定された情報に従って、ＣＰＵ９０１がセット方法を操作部９０４に表示するようにしてもよい。また、重送が発生した後に利用者にセット方法を選択させる構成でもよい。前者のセット方法のメリットは、排紙完了済みの原稿が再度搬送されないので、原稿の読取を完了するまでの時間が早いことである。後者のセット方法のメリットは、排紙トレイ１３に排出途中で停止している原稿、例えば原稿長さの９割が排出されているような原稿がある場合、利用者がその原稿を原稿トレイ３０にセットすべきか否かの判断に迷うようなことである。
【００３８】
Ｓ１０９の後、ＣＰＵ８０１は読取を実施する原稿が、原稿トレイ３０上にセットされたか否かの判断を行う（Ｓ１１０）。利用者が、図８の操作部９０４表示に従いＡＤＦ１００の搬送路内にあった原稿と、原稿トレイ３０上に残っている原稿を取り出して、両方の原稿を再度原稿トレイ３０に戻すと、原稿有無センサ１４は原稿なし状態から原稿あり状態を検出する。従って、ＣＰＵ８０１は、原稿有無センサ１４が原稿なしを検知した後に原稿有りを検知するまで原稿有無センサ１４の監視を続ける。この間、ＣＰＵ９０１は図８に示す画面を操作部９０４に表示させたままである。原稿有無センサ１４が原稿なしから原稿ありを検知した場合、ＣＰＵ８０１は、原稿トレイ３０上にセットされたと判断し（Ｓ１１０  ＹＥＳ）、ＣＰＵ９０１に対し重送検知実施有無画面表示通知を行う（Ｓ１１１）。ＣＰＵ９０１は、重送検知実施選択画面表示通知を受け取ると、操作部９０４上に図９に示す重送検知実施有無選択画面を表示する。ここで、ＣＰＵ９０１は、重送検知実施有無選択画面における利用者の選択結果をＣＰＵ８０１へ通知する。
【００３９】
その後、ＣＰＵ８０１は、ＣＰＵ９０１からの通知に基づいて、原稿読取ジョブを中止するか、また再開時に重送検知を行うか否かの判断を行う（Ｓ１１２〜Ｓ１１４）。ここで重送検知無効の選択がなされたとしても、現在実行中の原稿読取ジョブのみに有効となる。すなわち、実行中の原稿読取ジョブが終了した後の次の原稿読取ジョブに対しては、重送検知が実施される。即ち、原稿読取ジョブ開始以前に図５に示す画面で予め設定された結果は有効となっている。よって、複数の利用者が利用する装置における操作性を向上することができる。また、ここで操作部９０４により、利用者に重送検知を実施するか否か選択させることで、例えば封筒など、誤って重送と判断されやすい原稿を搬送する場合に、一旦原稿読取ジョブを中止し、図５に示す画面で重送検知を行わない設定にやり直す必要がなくなる。また、再度画像設定（例えば色モードや倍率の設定）を実施せずとも原稿読取ジョブを再開できる。よって重送と判断されやすい原稿を使用する場合の操作性が向上する。なお、重送と誤検知されやすい原稿には、封筒や、シールや切手が貼られた葉書、返信用部分のついた葉書を折ったまま画像読取する場合、付箋紙が貼られた紙、写真が貼られた履歴書、複数枚つづりの伝票などが考えられる。
【００４０】
利用者により「中止」キーが押下されない場合、ＣＰＵ９０１からＣＰＵ８０１へ中止通知が発行されない。このためＣＰＵ８０１は中止通知なし（Ｓ１１２  ＮＯ）と判断し、再開通知の有無を確認する（Ｓ１１３）。Ｓ１１３において、利用者により「ジョブ再開（重送検知無効）」キーも「ジョブ再開（重送検知有効）」キーも押下されない場合、ＣＰＵ９０１からＣＰＵ８０１へ原稿読取ジョブの再開通知が発行されない。このためＣＰＵ８０１はジョブ再開通知なし（Ｓ１１３  ＮＯ）と判断し、再度中止通知を確認する（Ｓ１１２）。以上のループにより利用者によりＣＰＵ８０１は、図９に示す画面でどのキーが押下されたかの通知を待つ。
【００４１】
利用者が図９の画面で「中止」キーを押下すると、ＣＰＵ９０１はＣＰＵ８０１に対し中止通知を行う。ＣＰＵ８０１は中止通知を受け取った場合（Ｓ１１２  ＹＥＳ）、ＣＰＵ８０１は、原稿読取ジョブ原稿読取ジョブを再開せず、ＣＰＵ９０１に対して原稿読取ジョブの終了通知を出し（Ｓ１１９）、原稿読取ジョブを中止終了する。
【００４２】
利用者により「ジョブ再開（重送検知無効）」キーが押下されるとＣＰＵ９０１はＣＰＵ８０１に対して重送検知せずに原稿読取ジョブを再開する旨の通知を行い、操作部９０４上の図９の重送検知実施有無選択画面を消去する。ＣＰＵ８０１は重送検知せず原稿読取ジョブを再開する旨の通知を受け取ると（Ｓ１１２  ＮＯ、Ｓ１１３  ＹＥＳ、Ｓ１１４  ＹＥＳ）、重送検知を実施せずに原稿搬送を再開する。まずＣＰＵ８０１は、原稿給紙搬送制御を行い、原稿給紙トレイ３０上の最上面の原稿から１枚ずつ画像読取位置まで搬送し（Ｓ１１５）、画像読取位置まで到達した原稿の画像読取を行う（Ｓ１１６）。そしてＣＰＵ８０１は、読取が完了した原稿を原稿排紙トレイ１３へ排紙する（Ｓ１１７）。原稿排紙後、ＣＰＵ８０１は原稿給紙トレイ３０上の原稿をすべて読取終えたかを確認する（Ｓ１１８）。原稿有無センサ１４が原稿ありを検知している場合、原稿トレイ３０上に原稿が残っており最終原稿まで読取が完了していないことになる（Ｓ１１８  ＮＯ）。そこで、ＣＰＵ８０１は再度原稿給紙搬送（Ｓ１１５）、原稿画像読取（Ｓ１１６）、原稿排紙（Ｓ１１７）を行う。Ｓ１１６において原稿有無センサ１４が原稿なしを検知している場合、原稿トレイ３０上の最終原稿まで読取が完了したことになる（Ｓ１１８  ＹＥＳ）。そこで、ＣＰＵ８０１はＣＰＵ９０１に対し原稿読取ジョブの終了通知を行い（Ｓ１１９）、原稿読取ジョブを終了する。このようにして利用者が「ジョブ再開（重送検知無効）」を選択すれば、原稿読取ジョブ実施中に、封筒など重送と誤検知されやすい複数の原稿が給送されるたびに重送誤検知が発生することを防止できる。
【００４３】
利用者により「ジョブ再開（重送検知有効）」キーが押下されるとＣＰＵ９０１はＣＰＵ８０１に対して重送検知を有効にして原稿読取ジョブを開時する旨の通知を行う。ＣＰＵ８０１は重送検知を有効にして原稿読取ジョブを再開する旨の通知を受け取ると（Ｓ１１２  ＮＯ、Ｓ１１３  ＹＥＳ、Ｓ１１４  ＮＯ）、Ｓ１０１からの処理を繰り返す。
【００４４】
本実施形態においてＡＤＦ１００を用いた原稿読取ジョブは、利用者が原稿読取開始の指示を行ってから、ＡＤＦ１００の原稿トレイ３０上の原稿すべてを読み取り完了するまで、としているが、原稿読取ジョブの終了条件は別のものであってもよい。例えば、利用者が１０枚原稿を積載し、そのうち５枚だけ画像を読み取る設定を行った場合は、５枚分原稿を読み取り終えたときに原稿読取ジョブ終了と判断する方法がある。他には、１０枚の原稿を用意し、そのうち５枚をカラーモードで読み取り、残りの５枚をモノクロモードで読み取り、１０枚分の読取画像を１つのファイルにまとめる、という動作を実現したい場合、以下のように制御される。まず、複数の原稿読取ジョブを連結する設定を行い、５枚をＡＤＦ１００の原稿トレイ３０に設置し、カラーモードで読み取りを行う。その後残りの５枚を原稿トレイ３０に設置し、モノクロモードで読み取りを行い、連結終了設定を行う。この場合原稿読取ジョブの終了条件は連結終了設定時としてもよい。
【００４５】
以上の様に、本実施形態によれば、重送検知を実施する設定が予めなされている場合に、利用者がその設定に気がつかずに、重送と誤判定されやすい原稿搬送を実施する場合であっても、原稿読取ジョブを必ずしも中止することなく原稿読取を行うことができる。よって、利用者の操作性が向上する。
【００４６】
以下、第２の実施形態について説明する。第２の実施形態では、第１の実施形態で説明した＜画像読取部２００の構成例＞、＜自動原稿給紙部（ＡＤＦ）１００の構成例＞、＜ブロック図の説明＞、＜原稿重送検知方法＞については同じものとする。
【００４７】
＜原稿読取ジョブ中の重送検知中断方法＞
原稿読取ジョブを継続しながら、利用者が重送検知実施有無を切り替える制御について、図１０のフローチャート、及び、図７、図８、図１１の操作部９０４表示を参照しながら説明する。
【００４８】
図１０は、重送検知を実施する設定がなされている場合の原稿搬送及び読取の制御を示すフローチャートである。図１０のフローチャートはＣＰＵ８０１により実行される。図７は、重送発生後に操作部９０４に表示される、重送した原稿の取り出しを促す画面である。図８は、重送発生後に操作部９０４に表示される、原稿を原稿トレイ３０へセットする動作を促す画面である。図１１は、重送発生後に操作部９０４に表示される、重送検知を有効にしてジョブ再開を行うか、重送検知を無効にしてジョブ再開を行うかの選択を促す画面である。図１２、図１３、図１４は原稿の位置と原稿の搬送速度との関係を示す図であり、縦軸が速度、横軸が搬送する原稿の先端の位置を示している。
【００４９】
以下、図１０のフローチャートに基づいて第２の実施形態における制御を説明する。本実施形では、図５の設定画面で重送検知を実施する設定が予めなされているものとする。利用者が原稿給紙トレイ３０に原稿を積載し、操作部９０４から原稿読取動作を開始させる指示を入力すると、ＣＰＵ９０１はこれを検知し、ＣＰＵ８０１に対してＡＤＦ１００を用いた原稿読取ジョブ開始を通知する。ＣＰＵ８０１はＡＤＦ１００を用いた画像読取ジョブ開始通知を受け取るとまず、上述した原稿給紙搬送制御を行い、原稿給紙トレイ３０上の最上面の原稿から１枚ずつ画像読取位置まで搬送する（Ｓ２０１）。ここで、Ｓ２０１における給紙搬送の原稿分離時の速度はＶ１（本実施形態では６００ｍｍ／ｓ）である。原稿給紙搬送制御における速度制御の詳細は後述する。原稿給紙搬送中にＣＰＵ８０１は、上述した原稿重送検知方法を用いて、重送判断を行う（Ｓ２０２）。重送の判断に関しては第１の実施形態と同様である。ＣＰＵ８０１は、原稿が重送していないと判断した場合（Ｓ２０２  ＹＥＳ）、Ｓ２０３以降の処理を実行するが、Ｓ２０３〜Ｓ２０５、Ｓ２２４の処理は、第１の実施形態における図６のＳ１０３〜Ｓ１０５、Ｓ１１９の処理と同様である。
【００５０】
また、ＣＰＵ８０１は、原稿が重送していないと判断した場合、Ｓ２０６以降の処理を実行するが、Ｓ２０６〜Ｓ２１４の処理は、第１の実施形態における図６のＳ１０６〜Ｓ１１４の処理と同様である。利用者により「ジョブ再開（重送検知無効）」キーが押下されるとＣＰＵ９０１はＣＰＵ８０１に対して重送検知せずに原稿読取ジョブを再開する旨の通知を行い、操作部９０４上の図９の重送検知実施有無選択画面を消去する。ＣＰＵ８０１は原稿読取ジョブを再開（重送検知を無効）する旨の通知を受け取ると（Ｓ２１２  ＮＯ、Ｓ２１３  ＹＥＳ、Ｓ２１４  ＹＥＳ）、重送検知を実施せずに原稿搬送を再開する。即ち、ＣＰＵ８０１は、原稿給紙トレイ３０上の最上面の原稿から１枚ずつ画像読取位置まで搬送する（Ｓ２１５）。なお、ＣＰＵ８０１は、Ｓ２１５において、原稿を速度Ｖ１（６００ｍｍ／ｓ）で搬送させる。原稿給紙搬送制御の詳細な速度制御は後述する。その後ＣＰＵ８０１は、Ｓ２１６以降の処理を実行するが、Ｓ２１６〜Ｓ２１８の処理は、第１に実施形態における図６のＳ１１６〜Ｓ１１８の処理と同様である。
【００５１】
また、利用者により「ジョブ再開（重送検知有効）」キーが押下されるとＣＰＵ９０１はＣＰＵ８０１に対して重送検知を有効にして原稿読取ジョブを開時する旨の通知を行う。ＣＰＵ８０１は、原稿読取ジョブを再開（重送検知を有効）する旨の通知を受け取ると（Ｓ２１２  ＮＯ、Ｓ２１３  ＹＥＳ、Ｓ２１４  ＮＯ）、ＣＰＵ８０１は、原稿給紙トレイ３０上の最上面の原稿から１枚ずつ原稿給紙搬送を行う（Ｓ２１９）。なお、Ｓ２１９において、ＣＰＵ８０１は、速度Ｖ１よりも遅い速度Ｖ２本実施形態では３００ｍｍ／ｓ）で、原稿を搬送させる。
【００５２】
重送検知を有効として原稿読取ジョブを再開する場合の搬送速度（Ｖ１）と、重送検知を無効として原稿読取ジョブを再開する場合の搬送速度（Ｖ２）とを変えている理由は以下のとおりである。利用者が重送検知を無効にする選択した場合、封筒など重送と誤検知しやすい原稿が搬送された可能性がある。よって、ＣＰＵ８０１は、実際には重送が発生していないと判断し、重送発生前と同じ速度Ｖ１で原稿を搬送させる。図１２（ａ）は、重送発生前と同じ速度Ｖ１で原稿搬送を行う速度制御の一例を示す図である。
【００５３】
一方、利用者が重送検知を無効にしないする選択した場合、重送の誤検知ではなく、実際に原稿が重送している可能性が高い。そこで、原稿同士の摩擦を小さくし、より確実に１枚ずつ給紙できるよう、ＣＰＵ８０１は、重送発生前よりも遅い速度Ｖ２で原稿を搬送させる。図１２（ｂ）は、重送発生前よりも低速な速度Ｖ２で原稿搬送を行う速度制御の一例を示す図である。縦軸が速度、横軸が搬送する原稿の先端の位置を示している。Ｖｒ（本実施形態では５００ｍｍ／ｓ）は原稿の画像を読み取っている時の搬送速度である。
【００５４】
なお、ここでは原稿搬送開始から、原稿先端がレジストローラ４に至るまでの速度を切り替えているが、重送を低減するために、原稿搬送開始から先端が重送センサ２０の位置に至るまでの間の速度を変更するのであれば別の方法であってもよい。例えば原稿給送開始から所定時間（例えば１０ｍｍの期間）では、静音化のために速度Ｖ０（例えば、１００ｍｍ／ｓ）で搬送し、所定時間経過後に原稿先端が重送センサ２０に到るまでの速度をＶ１とＶ２で切り替えてもよい。例えば、重送が発生する前の速度制御及び重送検知設定を無効にして再開した後の速度制御は図１３（ａ）に示したものになる。重送検知設定を有効して再開した後の速度制御は図１３（ｂ）に示したものになる。速度Ｖｒは原稿読取時の速度であり、本実施形態では５００ｍｍ／ｓとなる。
【００５５】
また、給送開始から２０ｍｍの区間の速度をＶ０１（例えば１００ｍｍ／ｓ）、Ｖ０２（例えば５０ｍｍ／ｓ）で切り替え可能としてもよい。例えば、重送が発生する前の速度制御及び重送検知設定を無効にして再開した後の速度制御を図１４（ａ）に示すものとし、重送検知設定を有効して再開した後の速度制御を図１４（ｂ）に示すものとしてもよい。図１４（ｂ）の例では、図１３（ｂ）に比べて給紙開始のときの搬送速度が低速であり、且つ速度が低速である期間が長くなっているので、重送発生の低減に効果がある。また、図１４の例では、重送センサ２０を通過するときの速度を図１３の例と同じＶ１としているが、違う速度でもよい。
【００５６】
Ｓ２２０〜Ｓ２２３の処理は、Ｓ２０２〜Ｓ２０５の処理と同様であり、最終原稿が搬送されると、ＣＰＵ８０１は、ＣＰＵ９０１へ原稿読取ジョブが終了することを通知する。
【００５７】
また、Ｓ２２０において重送が発生した場合、ＣＰＵ８０１は、原稿搬送を停止し（Ｓ２０６）、上述したフローを実行する。
【００５８】
重送が発生した場合、図７に示す画面が表示されるが、図１１に示す画面が表示されるようにしてもよい。図１１図の画面では、重送検知する設定がデフォルトになっている。
【００５９】
上述した第２の実施形態では、実際に原稿が重送していたと判断される場合には、その後の重送発生率を低減するべくジョブ再開後の搬送速度を変更しているが、原稿給紙トレイ３０のリフトアップの動作を制御してもよい。リフトアップ制御を使った第３の実施形態における重送発生率低減制御について図１５（ａ）の構成で説明する。
【００６０】
ＡＤＦに新たに、リフトアップ部材２６、給紙ローラセンサ２７、リフタ下限センサ２８、リフトアップ部材２６を動作させるリフタモータ８２２（不図示）が追加されている。図１５（ａ）の構成では、原稿給紙トレイ３０が上昇（リフトアップ）及び下降（リフトダウン）が可能となるように構成されている。リフタモータ８２２はパルスモータであり、ＣＰＵ８０１はリフタモータ８２２の駆動パルス数を管理することで、原稿給紙トレイ３０の移動量を知ることができる。この構成において、ＣＰＵ８０１は、リフタモータ８２２を逆転させることでリフトアップ部材２６を回転させ、原稿給紙トレイ３０を下降させる（リフトダウン）。原稿給紙トレイ３０が下降するときに、ＣＰＵ８０１はリフタ下限センサ２８を監視し、リフタ下限センサ２８がオンになると原稿給紙トレイ３０の下降を停止させる。
【００６１】
図１５及び図１６は、原稿トレイ３０の上昇過程を示す図である。ＣＰＵ８０１は、原稿給紙トレイ３０からの原稿給紙に先立って、リフタモータ８２２を正転させることでリフトアップ部材２６を回転させ、原稿給紙トレイ３０を上昇させる（リフトアップ）。このリフトアップの前に、ＣＰＵ８０１は、図１５（ａ）に示すように、分離モータ８２０を正転させ給紙ローラ１を下限まで下降させる。給紙ローラ１が下限まで下降すると、給紙ローラセンサ２７がオフになる。
【００６２】
リフトアップ部材２６が回転すると、原稿トレイ３０は図１５（ａ）の黒矢印の方向へ上昇し、原稿トレイ３０に積載された原稿も一緒に上昇する。そして原稿面の上昇に伴い、給紙ローラ１も合わせて上昇する。ＣＰＵ８０１は、給紙ローラセンサ２７がオンになるまでリフタモータ８２２を正転させ、給紙ローラセンサ２７がオンになるとリフタモータ８２２を所定パルス数動作させた位置で停止させる。これにより図１５（ｂ）のように原稿給紙トレイ３０上の最上面の原稿が給紙可能な位置で停止する。その後、ＣＰＵ８０１は、原稿給紙トレイ３０上の原稿を順次給送させると、原稿トレイ３０上の原稿の量が減っていく。原稿の量が減ってくると、原稿最上面の位置が下がり、それに伴い給紙ローラ１が図１７に示す位置Ｐ２まで下降したときに、図１６（ａ）のように、給紙ローラセンサ２７がオフになる。そのまま給紙動作が続行し、給紙ローラ１が下限位置までに至ると、給紙ローラ１の原稿に対する押圧力が低減する。このため、重送の発生が検知される前の原稿給送時や重送が検知され、重送検知が無効に設定されたジョブ再開における原稿給送時には、ＣＰＵ８０１は、原稿給紙トレイ３０の昇降を以下のように制御する。即ち、ＣＰＵ８０１は、給紙ローラセンサ２７がオフになると、リフタモータ８２２を正転させ、給紙ローラセンサ２７がオンになってからリフタモータ８２２を所定パルス数動作させた位置で停止させる。これにより図１６（ｂ）のように、給紙ローラ１の原稿に対する押圧力が正常となる位置に原稿給紙トレイ３０が移動される。即ち、給紙ローラ１は、図１７（ａ）の矢印に示す範囲で上下動する。
【００６３】
重送が発生した場合は、給紙ローラ１の原稿に対する押圧力が強いという可能性が考えられる。このため、押圧力を低減させることで、重送発生率を低減できる可能性がある。そこで、重送の発生が検知され、重送検知が無効に設定されなかったジョブ再開における原稿給送時には、ＣＰＵ８０１は、以下のように原稿給紙トレイ３０の昇降を制御する。即ち、ＣＰＵ８０１は、原稿給紙トレイ３０を上昇させるときに、給紙ローラ１が位置Ｐ２まで上昇し、給紙ローラセンサ２７がオンすると直ちにリフタモータ８２２を停止させる。また原稿給紙トレイ３０から原稿が給紙され、原稿の量が減ることにより給紙ローラ１が位置Ｐ２まで下がる。そして、給紙ローラセンサ２７がオフすると、ＣＰＵ８０１は、その時点から所定枚数（例えば１０枚）の原稿を給送して給紙ローラ１が下限位置Ｐ３まで下がると、原稿給紙トレイ３０のリフトアップを実施する。即ち、給紙ローラ１は、図１７（ｂ）に示す矢印の範囲で上下動する。図１７（ｂ）における給紙ローラ１の移動範囲は、図１７（ａ）における給紙ローラ１の移動範囲よりも狭い。また、図１７（ｂ）における給紙ローラ１の移動範囲は、図１７（ａ）における給紙ローラ１の移動範囲よりも下側の領域になる。
【００６４】
第３の実施形態によれば、重送と誤判定されやすい原稿に対して、重送発生後に重送検知を有効としたままジョブを再開させたとしても、その後の重送誤判定の発生を少なくして、操作性を向上させることができる。
【００６５】
上述した各実施形態では、原稿シートの搬送における重送検知について説明したが、本発明は、画像形成装置における記録シートの搬送における重送検知にも適用可能である。
【符号の説明】
【００６６】
１  給紙ローラ
２  分離ローラ
２０  重送センサ
３０  原稿給紙トレイ
１００  ＡＤＦ
３１０  リーダーＡＤＦ制御部
８０１  ＣＰＵ
８２０  分離モータ
８２１  読取モータ
９０４  操作部
１０００  画像読取装置
【図１】
2017052593.tif 000003
【図２】
2017052593.tif 000004
【図３】
2017052593.tif 000005
【図４】
2017052593.tif 000006
【図５】
2017052593.tif 000007
【図６】
2017052593.tif 000008
【図７】
2017052593.tif 000009
【図８】
2017052593.tif 000010
【図９】
2017052593.tif 000011
【図１０】
2017052593.tif 000012
【図１１】
2017052593.tif 000013
【図１２】
2017052593.tif 000014
【図１３】
2017052593.tif 000015
【図１４】
2017052593.tif 000016
【図１５】
2017052593.tif 000017
【図１６】
2017052593.tif 000018
【図１７】
2017052593.tif 000019